(57)【要約】【課題】本発明は、地山の掘削や点検などを行う際の作業効率を良好にした足場装置を提供する。【解決手段】並設された作業ステージ４の作業台２０の高さを揃えた状態で、モータ２６をオンすると、地山Ａの近くで補助ステージ２３ａ，２３ｂが左右に広がり、補助ステージ２３ａと補助ステージ２３ｂとが枠柱３ｃ，３ｄの前方まで迫り出す。そして、隣り同士の補助ステージ２３ａ，２３ｂが枠柱３ｃ，３ｄの前方で接近する。従って、補助ステージ２３ａ，２３ｂを伝って、隣の作業ステージ４の作業台２０に作業員が容易に移ることができ、従来のように、刃口室Ｓ毎に作業ステージを昇降させる必要がなく、作業者は、刃口室Ｓ毎に作業台２０を横に移動しながら地山Ａの掘削作業や点検作業を行うことができるので、作業効率が極めて良く、しかも安全に作業を行うことができる。【選択図】図６
2010255246.tif 000002
【特許請求の範囲】
【請求項１】
函体の前端で複数並設されている刃口室毎に配置され、作業台が設けられた作業ステージを有する足場装置において、
刃口室を形成する刃口枠の枠柱に沿って前記作業ステージを昇降させる昇降装置と、
前記作業台の前側に配置されて、前記函体の横断方向で前記枠柱の前方まで水平方向に拡幅する補助ステージと、を備えたことを特徴とする足場装置。
【請求項２】
前記補助ステージを拡幅させる拡幅装置は、
前記作業台に固定されたモータと、
横断方向に延在して前記モータにより回転するネジ軸と、
前記補助ステージに設けられて前記ネジ軸に螺着される雌ネジ部と、により構成されていることを特徴とする請求項１記載の足場装置。
【請求項３】
前記昇降装置は、
前記枠柱に沿って延在するラックと、
前記作業ステージに設けられて前記ラックに噛合するピニオンと、
前記ピニオンを回転させるモータと、を備えていることを特徴とする請求項１又は２記載の足場装置。
【請求項４】
前記作業ステージの前記作業台は、電動シリンダによって前後方向に進退することを特徴とする請求項１〜３の何れか一項に記載の足場装置。
【発明の詳細な説明】
【技術分野】
【０００１】
本発明は、コンクリート函体を地中で押し進めながらトンネル状の地中構造物を築造する推進工法に利用される作業用の足場装置に関するものである。
【背景技術】
【０００２】
従来、このような分野の技術として、特開２００８−２３１８６２号公報がある。この公報に記載された足場架台(作業ステージ)は、函体の前端で並設された３個の刃口室毎に配置されている。この足場架台には、枠材に金網が張られた足場部材が前後方向に移動可能に取付けられている。従って、足場部材を地山近づけるように移動させることで、作業員は、容易に、地山を手掘りすることができ、地山の状態を点検することもできる。
【先行技術文献】
【特許文献】
【０００３】
【特許文献１】特開２００８−２３１８６２号公報
【発明の概要】
【発明が解決しようとする課題】
【０００４】
しかしながら、このような構成の足場架台にあっては、地山の掘削作業や点検作業の際に作業員が近づくことはできるが、刃口室毎に地山の掘削作業や点検作業を行う際、刃口室毎に足場架台を昇降させなければならず、作業効率が悪いといった問題点がある。また、隣接する足場架台は所定距離だけ離されているので、作業員が隣の足場架台に飛び移ることは好ましくなく、このような行動を回避させるようにしなければならない。
【０００５】
本発明は、地山の掘削や点検などを行う際の作業効率を良好にした足場装置を提供することを目的とする。
【課題を解決するための手段】
【０００６】
本発明は、函体の前端で複数並設されている刃口室毎に配置され、作業台が設けられた作業ステージを有する足場装置において、
刃口室を形成する刃口枠の枠柱に沿って作業ステージを昇降させる昇降装置と、
作業台の前側に配置されて、函体の横断方向で枠柱の前方まで水平方向に拡幅する補助ステージと、を備えたことを特徴とする。
【０００７】
この足場装置の前側に配置された補助ステージは、函体の横断方向で枠柱の前方まで水平方向に拡幅するので、隣り同士の作業ステージの高さを揃えた状態で補助ステージを拡幅状態にすると、補助ステージを伝って隣の作業台に作業員が容易に移ることができる。従って、刃口室毎に作業ステージを昇降させる必要がなく、刃口室毎に作業ステージを横に移動しながら地山の掘削作業や点検作業を行うことができるので、作業効率が極めて良く、しかも安全に作業を行うことができる。
【０００８】
また、補助ステージを拡幅させる拡幅装置は、作業台に固定されたモータと、横断方向に延在してモータにより回転するネジ軸と、補助ステージに設けられてネジ軸に螺着される雌ネジ部と、により構成されていると好適である。
このような構成を採用すると、モータのシャフトを正転及び逆転させることで、ネジ軸に沿って補助ステージを往復動させることができる。従って、地山から作業ステージの作業台が離れているとき、補助ステージを作業ステージ内に格納し、地山に作業ステージの作業台が接近しているとき、補助ステージを作業ステージから横方向に拡幅することができる。
【０００９】
また、昇降装置は、枠柱に沿って延在するラックと、作業ステージに設けられてラックに噛合するピニオンと、ピニオンを回転させるモータと、を備えていると好適である。
このような構成を採用すると、電動で作業ステージを確実に昇降させることができる。
【００１０】
また、作業ステージの作業台は、電動シリンダによって前後方向に進退すると好適である。
電動シリンダを利用することで、地山から作業ステージの作業台を離したり、地山に作業ステージの作業台を近づけたりしたりする動作を電動で確実に行うことができる。
【発明の効果】
【００１１】
本発明によれば、地山の掘削作業や点検作業などの様々な作業の効率化を図ることができる。
【図面の簡単な説明】
【００１２】
【図１】本発明に係る足場装置が適用される構造体を示す正面図である。
【図２】作業ステージを示す側面図である。
【図３】作業ステージを示す平面図である。
【図４】補助ステージが拡幅した状態を示す平面図である。
【図５】補助ステージを裏面側から見た底面図である。
【図６】作業台の動作を示す平面図である。
【発明を実施するための形態】
【００１３】
以下、図面を参照しつつ本発明に係る足場装置の好適な実施形態について詳細に説明する。
【００１４】
図１は、Ｒ＆Ｃ工法に利用される構造体を示しており、このＲ＆Ｃ工法は、横断面角型鋼管１を並設したなる角型ルーフＲによって線路等を防護し、この角型ルーフＲを函体２で押し出しながら函体２を線路等の下に埋設させる工法である。
【００１５】
函体２の前端には、矢板５ａを長方形状に配列してなる刃口５が３つ並設されており、各刃口５は、函体２の前端に取付けられた刃口枠３にそれぞれ固定されている。各刃口枠３は、上枠３ａと下枠３ｂと左右一対の枠柱３ｃ，３ｄとによって長方形をなしており、刃口枠３によって囲まれた空間が刃口室Ｓとして形成され、各刃口室Ｓ内で作業ステージ４が枠柱３ｃ，３ｄに沿って昇降する。
【００１６】
図２及び図３に示すように、足場装置１０は、刃口室Ｓ毎に設置されており、作業ステージ４を昇降させるための昇降装置１１を備えている。この昇降装置１１は、作業ステージ４の基台１２に固定されたモータ１３と、モータ１３によって回転するピニオン１４と、
一方の枠柱３ｃにブラケット１５ａを介して固定され、枠柱３ｃに沿って上下方向に延在し、ピニオン１４が噛合するラック１５と、他方の枠柱３ｄにブラケット１６ａを介して固定され、枠柱３ｃ及び枠柱３ｄに沿って上下方向に延在する左右一対のガイドレール１６と、基台１２に設けられて、ガイドレール１６に沿って摺動する左右一対のガイドローラ１７とを備えている。
【００１７】
左右の枠柱３ｃと枠柱３ｄとは、互いに同じ角度をもって前傾状態で配置されて、枠柱３ｃ，３ｄに対してラック１５及びガイドレール１６は平行に延在している。作業ステージ４の基台１２に裏面側には、モータ１３が配置され、モータ１３の出力は、減速機構１８を介してピニオン１４に伝達され、ピニオン１４は、ラック１５に噛合されている。従って、モータ１３のオンオフによって、作業ステージ４を任意の高さで停止させることができる。
【００１８】
更に、作業ステージ４には、基台１２上で水平方向に延在するガイドレールに沿って進退する作業台２０が配置され、手摺り２０ａが設けられたこの作業台２０は、電動シリンダ２１によって水平方向で任意の位置に停止させることができる。この電動シリンダ２１の一端すなわちモータ２１ａ側は、基台１２に固定され、電動シリンダ２１の他端すなわちシリンダ２１ｂ側は、作業台２０に固定されている。従って、電動シリンダ２１のモータ２１ａのオンオフによって、作業台２０を前後に進退させることができ、地山Ａに接近させて作業を行うときに作業台２０を前進させ、地山Ａから離して作業ステージ４を昇降させるときに作業台２０を後退させることができる。
【００１９】
図４及び図５に示すように、枠材に金網が張られ状態の作業台２０の前側には、横方向に延在するステップ板２２が配置され、ステップ板２２には、補助ステージ２３ａ，２３ｂを横方向に拡幅するための拡幅装置２４が設けられている。補助ステージ２３ａ，２３ｂは、ステップ板２２の両側端部から出没可能であり、必要な時(掘削作業や点検作業時)に、ステップ板２２の両側端部から突出させ、必要でない時(作業台２０の進退時)に、ステップ板２２の裏面側に格納される。
【００２０】
この補助ステージ２３ａ，２３ｂは、作業台２０のステップ板２２の左右に配置され、一方の補助ステージ２３ａは、函体２の横断方向で枠柱３ｃの前方まで水平方向に拡幅し、他方の補助ステージ２３ｂは、函体２の横断方向で枠柱３ｄの前方まで水平方向に拡幅する。つまり、一方の補助ステージ２３ａは、枠柱３ｃに固定された刃口５の前方で作業者から見て左側に広がり、他の補助ステージ２３ｂは、枠柱３ｄに固定された刃口５の前方で作業者から見て右側に広がる。
【００２１】
図５に示すように、拡幅装置２４は、作業台２０のステップ板２２の裏面に固定されたモータ２６と、横断方向に延在して、モータ２６により笠歯歯車を介して回転すると共に、左右で逆のネジ切りがなされたネジ軸２７ａ，２７ｂと、補助ステージ２３ａ，２３ｂに設けられてネジ軸２７ａ，２７ｂに螺着される雌ネジ部２８ａ，２８ｂと、により構成されている。
【００２２】
モータ２６のシャフトを正転させることで、ネジ軸２７ａとネジ軸２７ｂとが同時に同一方向に回転し、ネジ軸２７ａとネジ軸２７ｂとが逆ネジ状態になっているので、左右の補助ステージ２３ａ，２３ｂが互いに離れるように移動し、これによって、補助ステージ２３ａ，２３ｂが枠柱３ｃ，３ｄの前方まで迫り出す。
【００２３】
これに対し、補助ステージ２３ａ，２３ｂが枠柱３ｃ，３ｄの前方まで迫り出した状態で、作業台２０を後退させると、補助ステージ２３ａ，２３ｂが刃口５に衝突してしまうので、モータ２６のシャフトを逆転させることで、補助ステージ２３ａ，２３ｂが同期してステップ板２２の裏面側に格納される。
【００２４】
地山Ａから作業台２０が離れているとき(図６(ａ)参照)、電動シリンダ２１のモータをオンすることで、刃口前方の地山Ａの近くまで作業台２０を移動させる(図６(ｂ)参照)。そして、３基それぞれの作業ステージ４の作業台２０の高さを揃えた状態で、モータ２６をオンすると、地山Ａの近くで補助ステージ２３ａ，２３ｂが左右に広がり、補助ステージ２３ａと補助ステージ２３ｂとが枠柱３ｃ，３ｄの前方まで迫り出す。そして、隣り同士の補助ステージ２３ａ，２３ｂが枠柱３ｃ，３ｄの前方で接近する(図６(ｃ)参照)。
【００２５】
従って、補助ステージ２３ａ，２３ｂを伝って、隣の作業ステージ４の作業台２０に作業員が容易に移ることができ、従来のように、刃口室Ｓ毎に作業ステージを昇降させる必要がなく、作業者は、刃口室Ｓ毎に作業台２０を横に移動しながら地山Ａの掘削作業や点検作業を行うことができるので、作業効率が極めて良く、しかも安全に作業を行うことができる。
【００２６】
作業ステージ４の昇降、前後進退、拡幅のオンオフ操作は、作業ステージ４上でも作業ステージ４外の何れであってもよい。操作盤は、ペンダントスイッチ式が好ましく、スイッチ配線の範囲で何れの位置でも操作可能であり、操作可能なボタンのみ点灯作動することが好ましい。
【符号の説明】
【００２７】
２…函体、３…刃口枠、３ｃ，３ｄ…枠柱、４…作業ステージ、５…刃口、１０…足場装置、１１…昇降装置、１２…基台、１３…モータ、１４…ピニオン、１５…ラック、１８…減速機構、２０…作業台、２１…電動シリンダ、２３ａ，２３ｂ…補助ステージ、２４…拡幅装置、２６…モータ、２７ａ，２７ｂ…ネジ軸、２８ａ，２８ｂ …雌ネジ部、Ａ…地山、Ｓ…刃口室。
【図１】
2010255246.tif 000003
【図２】
2010255246.tif 000004
【図３】
2010255246.tif 000005
【図４】
2010255246.tif 000006
【図５】
2010255246.tif 000007
【図６】
2010255246.tif 000008